(57)【要約】【課題】  手術に所望されるまたは必要な装置の準備と用意とが容易となるような、内科または外科手術を行うために使用される装置を準備および／または提供するための方法を提供する。【解決手段】  内科または外科手術を行うために使用される装置を準備および／または提供するための方法において、データ処理装置１８に接続され少なくとも１つの表示装置１４と制御盤とを備えたワークステーション１０に、行うべき手術を上記制御盤を介して呼び出した後、この意図に適した１つあるいは複数の上記装置、および／またはそれらの設定、または、それらの相対的な位置を、上記表示装置１４に表示することを特徴とするものである。【選択図】  図１
2005144183.tif 000002
【特許請求の範囲】
【請求項１】
内科または外科手術を行うために使用される装置を準備および／または提供するための方法において、
データ処理装置に接続され少なくとも１つの表示装置と制御盤とを備えたワークステーションに、行うべき手術を上記制御盤を介して呼び出した後、この意図に適した１つあるいは複数の上記装置、および／またはそれらの設定、または、それらの相対的な位置を、上記表示装置に表示することを特徴とする
内科または外科手術を行うために使用される装置を準備および／または提供するための方法。
【請求項２】
上記装置のうちの１つが手術台であり、その手術台の患者支持面が空間的に調節可能な複数の支持面部を備え、
上記支持面部における手術に必要な位置を表示する
請求項１記載の内科または外科手術を行うために使用される装置を準備および／または提供するための方法。
【請求項３】
手術に必要な付属装置および付属機器を表示する
請求項２記載の内科または外科手術を行うために使用される装置を準備および／または提供するための方法。
【請求項４】
上記手術台における上記付属装置の位置を表示する
請求項３記載の内科または外科手術を行うために使用される装置を準備および／または提供するための方法。
【請求項５】
装置または装置の部品をある設定または位置に到達させる過程を、各ステップごとに表示する
請求項１から４いずれかに記載の内科または外科手術を行うために使用される装置を準備および／または提供するための方法。
【請求項６】
上記ステップが、上記制御盤に入力することにより進行する
請求項５記載の内科または外科手術を行うために使用される装置を準備および／または提供するための方法。
【請求項７】
上記設定または位置を図解で表示する
請求項１から６いずれかに記載の内科または外科手術を行うために使用される装置を準備および／または提供するための方法。
【請求項８】
最終的な位置または設定に到達するまでの全てのステップを、個別イメージによる形式で同時に表示する
請求項５から７いずれかに記載の内科または外科手術を行うために使用される装置を準備および／または提供するための方法。
【請求項９】
ある設定または位置に到達するために必要な工程を表示する
請求項１から８いずれかに記載の内科または外科手術を行うために使用される装置を準備および／または提供するための方法。
【請求項１０】
上記装置、および／またはそれらの設定、および／またはそれらの位置を、時間順に並ぶイメージで表示する
請求項１から７および請求項９いずれかに記載の内科または外科手術を行うために使用される装置を準備および／または提供するための方法。
【請求項１１】
上記ワークステーションが、設定すべき装置に接続され、その装置が特に手術台であり、この装置が、表示した設定と位置とに従って自動的にコントロールされる
請求項１から１０いずれかに記載の内科または外科手術を行うために使用される装置を準備および／または提供するための方法。
【請求項１２】
実際に手術で使用された上記装置と設定または位置とが、それぞれ確定されて記憶される
請求項１から１１いずれかに記載の内科または外科手術を行うために使用される装置を準備および／または提供するための方法。
【請求項１３】
上記記憶されたデータが、患者に割り当てられる
請求項１２記載の内科または外科手術を行うために使用される装置を準備および／または提供するための方法。
【請求項１４】
命令とエンコード形式のデータとを備えたコンピュータ・ソフトウェアであって、コンピュータ・システムに読み込まれた後、そのコンピュータ・システムに、請求項１から１３いずれかに記載された方法を実行させることを特徴とするコンピュータ・ソフトウェア。
【請求項１５】
記憶媒体に記憶された請求項１４記載のコンピュータ・ソフトウェア。
【請求項１６】
ユーザー・インタフェースおよび／またはデータベースを備えた請求項１４または１５記載のコンピュータ・ソフトウェア。
【請求項１７】
上記データベースが、第一のアクセスキーにより保護された第一のデータと命令とを有するメモリを備え、さらに、上記データベースが、さらなるデータと命令とを受けるための少なくとも１つの別のメモリを有する請求項１６記載のコンピュータ・ソフトウェア。
【請求項１８】
少なくとも１つのコンピュータと、表示装置と、制御盤と、請求項１４から１７いずれかに記載のコンピュータ・ソフトウェアとを有することを特徴とするコンピュータ・システム。
【請求項１９】
上記制御盤が、上記表示装置を構成するタッチ・スクリーンで構成された請求項１８記載のコンピュータ・システム。
【請求項２０】
設定すべき装置に接続された請求項１８または１９記載のコンピュータ・システム。
【請求項２１】
設定すべき装置またはその装置に接続された付属部品における、上記設定または上記位置がそれぞれセンサにより取得可能であり、上記設定または上記位置を記憶可能な請求項１８から２０いずれかに記載のコンピュータ・システム。
【請求項２２】
上記センサが、設定すべきまたは配置すべき上記付属部品に接続されたトランスポンダである請求項２１記載のコンピュータ・システム。
【請求項２３】
上記センサが、少なくとも１つのビデオおよび／またはスチール・イメージ・カメラを備えた請求項２１または２２記載のコンピュータ・システム。
【発明の詳細な説明】
【技術分野】
【０００１】
本発明は、内科（医療）または外科手術を行うために使用される装置を準備および／または提供（用意）するための方法に関連する。
【背景技術】
【０００２】
通常、特定の内科または外科手術向けの患者姿勢（patient positions）は、説明文と共に、最終的な姿勢を示すイメージとして表示される。通常、中間のステップは表示されない。さらに、ファイルに収集された説明書（descriptions）が利用可能であり、その説明書は多かれ少なかれ系統的に構成され、説明書内には各手術に必要な付属部品（accessories）とそれらの取扱方法（handling）とが記述される。
【発明の開示】
【発明が解決しようとする課題】
【０００３】
特定の手術を準備するためにこの情報を使用することは、手術の最良な準備を可能にするために、多くの経験と各装置を熟知していることとを必要とする。
【０００４】
本発明は、導入部において述べたタイプの方法を明らかにするという目的に基づく。その方法により、手術に所望されるまたは必要な装置の準備と用意とが容易となり、同時に、最適な準備を得るための安全性が増加する。
【課題を解決するための手段】
【０００５】
本発明によれば、この目的は、コンピュータに接続され少なくとも１つの表示装置と制御盤（コントロール・パネル）とを備えるワークステーションに、行うべき手術が制御盤を介して呼び出された後、この意図（手術の執行）に適切なあるいは所望される１つあるいは複数の装置、および／またはそれらの設定（setting）、またはそれらの相対的な位置（position）が、表示装置にそれぞれ表示されることで解決される。例えば、装置のうちの1つが手術台であり、その手術台の患者支持面が空間的に調節可能な複数の支持面部を有するとき、手術に必要な各支持面部における位置を表示装置に表示することができる。さらに、手術に必要な付属装置と付属機器とを表示装置に表示することができ、この表示は、イメージ形式(スチール・イメージまたはビデオ)とテキスト形式(テキストまたは音声)とのいずれか、もしくは両方により行われる。同時に、外部の文書を統合することもできる。
【０００６】
同時に、手術台における付属装置の位置を表示装置に表示することが可能である。
【０００７】
装置または装置の部品が、ある設定および／または位置に到達する過程が、各ステップごとに（段階的に）表示装置に示されることは特に有用であり、例えば、それらステップは、特定の時間順（chronological order）に再現（reproduced）されるか、あるいは、要員（オペレータ）が制御盤に入力することで、個々に進められる、または呼び出される。このように、要員は、各々のステップと、特定の最終的な設定に到達するために必要なそれら工程（ステップ）（measures）の順序（sequence）とを記憶する（思い起こす）ことができる。この目的のために、設定あるいは位置が図解（pictorially）で表示装置に表示されるだけでなく、最終的な位置あるいは設定に到達するまでの全てのステップが、個別イメージ（individual images）の形式で表示装置に同時に表示されることは有用である。
【０００８】
特定の設定または最終的な位置への到達が装置自体のデザインからは明らかでないとき、ある設定または位置への到達に必要な工程を表示装置に表示することは、同様に有益である。設定が複雑な場合に、装置、および／またはそれらの設定、および／または位置が、時間順に並ぶ（表現される）イメージで表示装置に表示され、より広い間隔で進行する緩いシーケンスあるいはフィルムを選択可能であることは特に有益である。
【０００９】
本発明の好適な一実施形態では、ワークステーションが、例えば手術台などの設定すべき装置に接続される。この手術台は、表示された設定および位置に従って自動的に制御される。さらに、本発明による解決策を、手術で実際に使用された装置および／または設定または位置をそれぞれ確定して記憶（格納）することに、同様に用いることができる。記憶したデータを患者に割り当てて、手術に使用された装置および機器とそれらの取扱方法とを文書化することが可能になる。これらのデータを、例えば、電子的な患者ファイルに記憶させることができる。データの入力を、ワークステーションと各装置とを直接接続することにより行うことができ、その場合には（in that）、装置の設定が、例えば、センサにより取得される。所要のまたは所望の付属装置の有無（presence）と、それらの位置および設定との確認を、例えば、トランスポンダ、RFID(無線周波数確認)、スイッチ、または磁気センサにより行うことができる。同様に、スチール・イメージ・カメラまたはビデオカメラを用い、直接リンクによりまたはポータブルな記憶媒体を介して所要のデータをコンピュータに転送することで、使用された装置と、それらの設定または位置とを、それぞれを拾い上げることが可能となる。
【００１０】
さらに、本発明は、命令（commands）とエンコード形式（in encoded form）のデータとを備えるコンピュータ・ソフトウェアに関連する。そのコンピュータ・ソフトウェアは、コンピュータ・システム（例えば、上述したワークステーションなど）にロードされた後、コンピュータ・システムに上述した方法のステップを実行させる。通常、コンピュータ・ソフトウェアは、ユーザー・インタフェースとデータベースとを備える。そのデータベースは、第一のアクセス・キーにより保護される第一のデータおよび命令（instructions）のためのメモリ（第一のメモリ）と、第二のデータおよび命令を受けるために別のメモリ（第二のメモリ）とを備える。これにより、非可変データを保存することが可能となる。非可変データは、例えば、手術台システムの製造業者により第一のメモリ内に記入される。一方、第二のメモリにより、ユーザは、手術に必要な設定と付属部品とについての自身の提案を記入（記録）することが可能となる。したがって、ユーザは、コンピュータ・ソフトウェアに自身のアイデアを適合させることができる。
【００１１】
本発明によるコンピュータ・ソフトウェアは、手術台とこの意図に必要な付属部品とを設定するための各ステップを、表示装置（通常は、ディスプレイ・スクリーン）に表示することを可能にする。これにより、位置決め（positioning）の経過が可視可能かつ理解可能になる。イメージ、ビデオおよびテキストを、表示のために使用することができる。任意の数の文字で（in arbitrary number）テキストを管理することは有用である。患者の各姿勢決め（positioning）のために必要な付属部品の部品リストを出力することができる。もし必要とされるならば、そのリストを電子的な患者ファイルに付与することもできる。さらに、患者の姿勢決めについての各ステップを、手術要員の記録（notes）と意見(remarks)とにより、個々に追加することができる。その結果、ユーザ知識を文書化して利用可能に構成することができる。もし必要とされるならば、頻繁に必要とされる要素に迅速にアクセスすべき場合に、ユーザはあるお気に入りの（好みの）設定または位置を定義することができる。
【００１２】
本発明による解決策の本質的な利点は、複雑に関連した事柄（complex connections）を分割された形式（in a broken down form）で表示すると共に、その情報に迅速かつ安全にアクセスできるということである。同時に、本プログラムを、手術に必要な付属部品を保存・管理（stock-keeping）するためのプログラムにリンクすることが可能である。その結果、要員は、利用可能な用具（material）とその条件（例えば滅菌条件)とについての情報を適時得る。
【００１３】
本発明によるソフトウェアを、複数のワークステーション（例えば、クライアントとしてデータベース・サーバに接続されたもの）で、容易に使用することができる。その結果、全てのワークステーションで同一レベルのデータおよび知識が利用可能であることを保証するような、中央集中方式のデータ管理が可能である。その結果、エラーが減少し、かつコストが低減される。
【００１４】
したがって、本発明は、少なくとも１台のコンピュータと表示装置と制御盤と上述のようなのコンピュータ・ソフトウェアとを備えるコンピュータ・システムに関連する。制御盤は、例えば、手術室での使用に特に適しているタッチ・スクリーンを用いることができる。システムを、設定すべき装置（例えば、手術台）に直接接続することができ、その結果、特定の手術を呼び出したときに、必要な設定と付属装置とが表示されるだけでなく、プログラム内に供された設定をなすために、コンピュータが手術台自体を直接制御することができる。他方では、文書化の目的のために、なされた設定の各々を記憶することができる。
【００１５】
本発明の更なる特徴および有利な点は、更なる従属クレームと、付属の図との関連において実施形態の参照と共に本発明を説明する以下の記述とにより得られる。
【発明の効果】
【００１６】
本発明によれば、手術に所望されるまたは必要な装置の準備と用意とが容易になるという優れた効果を発揮するものである。
【発明を実施するための最良の形態】
【００１７】
図１において、参照番号１０は、ワークステーションを各々示す。各ワークステーション１０は、パーソナル・コンピュータ１２と、そのパーソナル・コンピュータ１２に接続されたディスプレイ・スクリーン（表示装置）１４とを備える。ディスプレイ・スクリーン１４は、タッチ・スクリーン（タッチ・パネル）として構成（fashioned）することができる。あるいはその代わりに、パーソナル・コンピュータ１２に、マウス１６またはキーボード(図示せず)を接続することができる。本実施形態では、ディスプレイ・スクリーン１４を構成するタッチ・スクリーンにより制御盤が構成される。パーソナル・コンピュータ１２は、データベース・サーバ（データ処理装置）１８に接続される。さらに、図示した実施形態では、パーソナル・コンピュータ１２が、内科または外科手術を行うために使用される装置を構成する手術台２０をコントロールするために、手術台２０に直接接続される。その接続には、ケーブル接続または無線接続が可能である。手術台２０は、サポート・コラム２４を有するベース２２と、患者支持面２６とを有する。その患者支持面２６は、複数の部分（支持面部）２８、３０、３２を備え、それら複数の部分２８、３０、３２は、適切なモータにより、互いに相対的に調整可能であり、かつサポート・コラム２４に対して調整可能である。この種の手術台は既知であるので、これ以上詳細な説明は行わない。
【００１８】
本実施形態のコンピュータ・システムは、パーソナル・コンピュータ１２と、ディスプレイ・スクリーン１４と、後述するコンピュータ・プログラムとを有する。本実施形態では、コンピュータ・システムがワークステーション１０などから構成される。
【００１９】
本実施形態による（The inventive）コンピュータ・プログラム（コンピュータ・ソフトウェア）は、操作（手術）要員（operating personnel）に、ある手術に使用される装置とそれらの設定とを、図示することを可能にする。その例が図２〜図８により供される。図２は、ディスプレイ・スクリーン１４上の第一の（最初の）イメージを図示し、そのイメージは可能な科目の選択肢（selection）を表示する。１つの科目（例えば、脊椎の手術）が選択されると、図３に示すように、各手術のための様々な位置決め（姿勢決め）の可能性が図示され、ユーザは適切な位置決めの可能性を選択することができる。図３では、これは側臥位（lateral position）であり、図３中のイメージ２．７に対応する。この側臥位が選択されると、次に図４において、側臥位のためのウェッジ・クッション３４とゲル・ヘッド・リング３６と共に、手術台がユーザに大きなイメージ４Ａで図示される。ゲル・ヘッド・リング３６はまた、小さなイメージ４Ｂ中に付属部品（accessory part）として図示される。大きなイメージ４Ａの下の、小さなイメージ４Ｃから４Ｅは、最初、付属部品（付属装置、付属機器）（accessories）を伴わない手術台を示し（４Ｃ)、４Ａに示されるような付属部品を伴った手術台を示し(４Ｄ)、側臥位の患者を伴った手術台を示す(４Ｅ)。最後に、イメージ４Ｆは、Ｃ-アーク３８に連結された患者を示す。リンクにより、関連した患者の姿勢と特定の患者姿勢についての特別なアプリケーション（applications）とを、ここで表示することができる。付属部品と追加の装置とに関する情報への迅速なアクセスが、アイコンにより可能である。
【００２０】
図５は、セクション５Ａにおいて、図４による手術台を、患者およびアーム・ポジショニング・デバイス（arm positionning device）４０と共に示す。アーム・ポジショニング・デバイス４０は、イメージ・セクション５Ｂに個別に図示される。イメージ・セクション５Ｃは、アーム・ポジショニング・デバイス４０の組立（assembly）についての説明を供する。イメージ・セクション５Ｄは、イメージ・セクション４Ｆに対応（一致）する。
【００２１】
図６は、側臥位に必要な全ての付属部品を、部品番号および数量と共に示す。図７は、それらの付属部品を、例えば、印刷可能なリスト形式で示す。
【００２２】
図８では、ユーザが様々な付属部品を選択できるような画面表示が示される。
【００２３】
最後に、図９はイメージを示し、そのイメージによると、ユーザが、プログラムを自身の（his/her）の特定の要求に適合させるために、または自身の経験と提案とを追加するために、自身のデータと共にプログラムを補足または変更できる。
【００２４】
本実施形態のコンピュータ・プログラムは、コマンドとエンコード形式のデータとを備え、例えば、パーソナル・コンピュータ１２内の記憶媒体に記憶される。
【００２５】
本実施形態のコンピュータ・プログラムは、以上のようなユーザー・インタフェースを備え、さらに、データベースを備える。そのデータベースは、第一のアクセスキーにより保護された第一のデータと命令とを有するメモリを備え、さらに、データベースは、さらなるデータと命令とを受けるための少なくとも１つの別のメモリを有する。
【００２６】
手術がコンピュータ・プログラムの命令に基づいて準備されるときには、このプログラムにより、手術台を直接制御して設定することが可能である。例えば、特定の付属部品が組み立てられて設定される時に信号が与えられ、その後、ユーザが承認した後、プログラムが進行して次の設定を供する。この段階的に進行する（progressive）設定に関しての位置決め（姿勢決め）プロトコルも記録することができる。恐らく、付属部品も、適切なトランスポンダまたはセンサにより自動的に記録（登録）することができる。作成された位置決めプロトコルを、印刷することができ、また、各プロトコルを患者管理システム内のそれぞれの患者に割り当てるために、他のプログラムに転送することができる。
【００２７】
本実施形態のセンサは、例えば、少なくとも１つのビデオおよび／またはスチール・イメージ・カメラを備える。
【００２８】
本実施形態によるプログラムとシステムとは、多くの長所を有する。それによると、病院要員（職員）に、対話型のトレーニングと継続教育とを施すことができる。患者の姿勢決めを、各ステップ毎に実施することができ、それら工程（processes）が最適化されると共に、いずれのステップも省略されないことが保証される。この結果、より高い品質が保証される。同時に、手術室内での工程を、よりよく文書化（記録）することができる。あるシステムのために製造業者から供される位置決め（姿勢決め）案を、最良に実施することができる。同時に、各病院は、その病院内である種の標準を供するために、独自の姿勢（位置）と付属装置とをプログラムに記憶させることができる。
【００２９】
本実施形態によるプログラムは、従来のデータ処理ユニット（例えば、パーソナル・コンピュータ）で実行する（run）ことができ、多くのユーザが同時に使用することが可能である。また、キーボード、またはマウス、またはタッチ・スクリーンによる操作が可能である。
【００３０】
本実施形態によるプログラムは、例えば、特定の付属部品を使用する全ての患者姿勢の一覧表（listing）を作成するなど、情報に関するネットワーキングを可能にする。システムの製造業者の特定のマニュアルを得ることができる。そのマニュアルは、各々の技術の状態に応じて容易に拡張可能であり、その結果、マニュアルの最も最新の版が常に使用されることが保証される。
【００３１】
本実施形態によるシステムによれば、要員が、ある患者の姿勢決めに必要な付属部品を完全に確定して供することが可能であることを容易に保証できる。同時に、付属部品（または装置の部品）は、図示されると共に、要員の間のコミュニケーションを容易にするような適当な名前で参照付けられる。
【００３２】
本実施形態によるシステムを手術台と関連させて説明したが、しかしながら、本発明はこれに限定されず、手術用ランプ（operating lambs）や同種のものなど、他の装置に適用することができる。
【図面の簡単な説明】
【００３３】
【図１】概略的に図示された手術台に関して、本発明の方法を実施するのに適当なコンピュータ・システムの概略図である。
【図２】本実施形態に係るコンピュータ・プログラムによる機能を説明するディスプレイ・スクリーン上のイメージを示す。
【図３】本実施形態に係るコンピュータ・プログラムによる機能を説明するディスプレイ・スクリーン上の他のイメージを示す。
【図４】本実施形態に係るコンピュータ・プログラムによる機能を説明するディスプレイ・スクリーン上の他のイメージを示す。
【図５】本実施形態に係るコンピュータ・プログラムによる機能を説明するディスプレイ・スクリーン上の他のイメージを示す。
【図６】本実施形態に係るコンピュータ・プログラムによる機能を説明するディスプレイ・スクリーン上の他のイメージを示す。
【図７】本実施形態に係るコンピュータ・プログラムによる機能を説明するディスプレイ・スクリーン上の他のイメージを示す。
【図８】本実施形態に係るコンピュータ・プログラムによる機能を説明するディスプレイ・スクリーン上の他のイメージを示す。
【図９】本実施形態に係るコンピュータ・プログラムによる機能を説明するディスプレイ・スクリーン上の他のイメージを示す。
【符号の説明】
【００３４】
１０  ワークステーション
１４  ディスプレイ・スクリーン（表示装置）
１８  データベース・サーバ（データ処理装置）
２０  手術台
３６  ゲル・ヘッド・リング（付属装置）
【図１】
2005144183.tif 000003
【図２】
2005144183.tif 000004
【図３】
2005144183.tif 000005
【図４】
2005144183.tif 000006
【図５】
2005144183.tif 000007
【図６】
2005144183.tif 000008
【図７】
2005144183.tif 000009
【図８】
2005144183.tif 000010
【図９】
2005144183.tif 000011